(57)【要約】【課題】ブラケットにおいて、電気回路ユニットが載置された状態で、その電気回路ユニットに組み付けられる外部接続用ケーブルの組み付け作業を容易に行うことである。【解決手段】ブラケット１０において、外部接続用ケーブル４４が組み付けられる電気回路ユニット４２が載置されるブラケット１０であって、外部接続用ケーブル４４を電気回路ユニット４２に組み付けるための組み付け作業用の開口部を有するブラケット本体部２０と、ブラケット本体部２０と分離可能な副ブラケット部３０であって、ブラケット本体部２０と一体化したときに開口部の一部を覆う副ブラケット部３０と、を備える。【選択図】図２
2009179133.tif 000002
【特許請求の範囲】
【請求項１】
外部接続用ケーブルが組み付けられる電気回路ユニットが載置されるブラケットであって、
外部接続用ケーブルを電気回路ユニットに組み付けるための組み付け作業用の開口部を有するブラケット本体部と、
ブラケット本体部と分離可能な副ブラケット部であって、ブラケット本体部と一体化したときに開口部の一部を覆う副ブラケット部と、
を備えることを特徴とする電気回路ユニットが載置されるブラケット。
【請求項２】
請求項１に記載の電気回路ユニットが載置されるブラケットにおいて、
副ブラケット部とブラケット本体部とを一体化するときに用いられる固定部を備えることを特徴とする電気回路ユニットが載置されるブラケット。
【請求項３】
請求項１または請求項２に記載の電気回路ユニットが載置されるブラケットにおいて、
ブラケット本体部の形状は、側面と底面からなるトレー形状であって、
ブラケット本体部の開口部は、側面から底面に跨って設けられる側面開口部と底面開口部とからなり、
底面開口部は、電気回路ユニットが載置されたときに電気回路ユニットに設けられる組付口に組み付けられる外部接続用ケーブルを底面から挿入するために設けられる開口であり、
側面開口部は、電気回路ユニットが載置されたときに組付口と外部接続用ケーブルとの組み付けを行うために設けられる開口であることを特徴とする電気回路ユニットが載置されるブラケット。
【請求項４】
請求項３に記載の電気回路ユニットが載置されるブラケットにおいて、
ブラケットは、車両に搭載され、
ブラケット本体部は、側面開口部が車両内側に向くように設けられることを特徴とする電気回路ユニットが載置されるブラケット。
【発明の詳細な説明】
【技術分野】
【０００１】
本発明は、電気回路ユニットが載置されるブラケットに係り、特に、外部接続用ケーブルが組み付けられる電気回路ユニットが載置されるブラケットに関する。
【背景技術】
【０００２】
インバータ等が内部に設けられる電気回路ユニットを有する車両において、車体に設置されたブラケットを介して電気回路ユニットを車両に設けることがある。例えば、特許文献１には、フロントエンジンルームの車幅方向外側にインバータを配置し、当該インバータの底面を、車体のサイドメンバに底面ブラケットを介して締結するとともに、当該インバータの車幅方向外側端部を、車体側のラジエタコアアッパーサポートに前面ブラケットを介して締結し、当該前面ブラケットを車両上方視においてクランク形状としてなるハイブリッド車のインバータの車体締結構造が開示されている。ここでは、上記の構成を用いることで前面衝突時においても、インバータとモータとを接続する強電ハーネスを切断することなく、かつ、インバータのケースおよび底面ブラケットの破損を招くことがないと述べられている。
【０００３】
【特許文献１】特開２００６−１２１８２５号公報
【発明の開示】
【発明が解決しようとする課題】
【０００４】
上記特許文献１の構成により、ブラケットを利用することでインバータ等を内部に備える電気回路ユニットを車両に設けることができる。しかし、特許文献１の構成では、電気回路ユニットがブラケットに載置された状態のままで、電気回路ユニットに組み付けられる外部接続用ケーブルの組み付け作業を行うことが困難となる場合がある。
【０００５】
本発明の目的は、電気回路ユニットが載置された状態で、その電気回路ユニットに組み付けられる外部接続用ケーブルの組み付け作業を容易に行うことができるブラケットを提供することである。
【課題を解決するための手段】
【０００６】
本発明に係る電気回路ユニットが載置されるブラケットは、外部接続用ケーブルが組み付けられる電気回路ユニットが載置されるブラケットであって、外部接続用ケーブルを電気回路ユニットに組み付けるための組み付け作業用の開口部を有するブラケット本体部と、ブラケット本体部と分離可能な副ブラケット部であって、ブラケット本体部と一体化したときに開口部の一部を覆う副ブラケット部と、を備えることを特徴とする。
【０００７】
また、本発明に係る電気回路ユニットが載置されるブラケットにおいて、副ブラケット部とブラケット本体部とを一体化するときに用いられる固定部を備えることが好ましい。
【０００８】
また、本発明に係る電気回路ユニットが載置されるブラケットにおいて、ブラケット本体部の形状は、側面と底面からなるトレー形状であって、ブラケット本体部の開口部は、側面から底面に跨って設けられる側面開口部と底面開口部とからなり、底面開口部は、電気回路ユニットが載置されたときに電気回路ユニットに設けられる組付口に組み付けられる外部接続用ケーブルを底面から挿入するために設けられる開口であり、側面開口部は、電気回路ユニットが載置されたときに組付口と外部接続用ケーブルとの組み付けを行うために設けられる開口であることが好ましい。
【０００９】
また、本発明に係る電気回路ユニットが載置されるブラケットにおいて、ブラケットは、車両に搭載され、ブラケット本体部は、側面開口部が車両内側に向くように設けられることが好ましい。
【発明の効果】
【００１０】
上記構成により、ブラケット本体部から副ブラケット部を分離して外部接続用ケーブルの組み付け作業を行うことができる。したがって、電気回路ユニットが載置された状態で、その電気回路ユニットに組み付けられる外部接続用ケーブルの組み付け作業を容易に行うことができる。
【発明を実施するための最良の形態】
【００１１】
以下に図面を用いて本発明に係る実施の形態につき、詳細に説明する。なお、以下では、ブラケットは、車両前方のエンジンルームに設けられているものとして説明するが、車両後方に設けられてもよい。また、以下では、電気回路ユニットは、その内部にインバータ回路とＥＣＵが設けられているものとして説明するが、インバータ回路とＥＣＵに限定されず、その他の電気回路が設けられていてもよい。
【００１２】
図１は、ブラケット１０に電気回路ユニット４２を載せた状態のブラケット部８を車両６に設けた様子を示す図である。図２は、車両６の右側からブラケット部８を見た様子を示す図である。図３は、ブラケット１０と電気回路ユニット４２と外部接続用ケーブル４４とを分離した様子を示す図である。図４は、ブラケット部８の上面視を示す図である。
【００１３】
図１に示されるようにブラケット部８は、車両６前方のエンジンルーム７の車幅方向外側に設けられている。ブラケット部８は、電気回路ユニット４２とブラケット１０と外部接続用ケーブル４４とを含んで構成される。
【００１４】
電気回路ユニット４２は、直流電力から交流電力を電気的に生成するインバータ回路とＥＣＵ（Ｅｌｅｃｔｒｏｎｉｃ  Ｃｏｎｔｒｏｌ  Ｕｎｉｔ）とを内部に有する筐体である。外部接続用ケーブル４４は、電気回路ユニット４２の内部に設けられたＥＣＵと車両６に設けられた機器とを接続するためのケーブルである。
【００１５】
ブラケット１０は、車両６前方のエンジンルーム７の車幅方向外側において左側に取り付けられ、電気回路ユニット４２を載置するためのものである。ブラケット１０は、ブラケット本体部２０と副ブラケット部３０とを含んで構成される。もちろん、ブラケット１０は、車両６前方のエンジンルーム７の車幅方向外側において右側に取り付けることもできる。
【００１６】
ブラケット本体部２０は、上方から電気回路ユニット４２を載置するために窪みが設けられ、底面と側面から構成されるトレー形状を有する。図３に示されるように、ブラケット本体部２０を構成する一方側の側面には、外部接続用ケーブル４４を電気回路ユニット４２に組み付けるために設けられた組み付け作業用の側面開口部２２を有する。なお、側面開口部２２は、ブラケット本体部２０を構成する一方側の側面において、電気回路ユニット４２が載置された際に、電気回路ユニット４２に設けられた組付口４１が側面開口部２２から視認できる位置に設けられる。また、側面開口部２２は、電気回路ユニット４２が載置された際に、組付口４１と外部接続用ケーブル４４との組み付け作業を容易に行える程度の大きさの開口である。
【００１７】
また、ブラケット本体部２０の底面には、側面開口部２２が設けられている側に底面開口部２４を有する。底面開口部２４は、ブラケット本体部２０を構成する底面に側面開口部２２を有する側の辺から切り欠いて形成されており、その開口の大きさは電気回路ユニット４２が載置された際に、外部接続用ケーブル４４をブラケット本体部２０の底面から電気回路ユニット４２の側面に組み付けるために挿入できる程度の大きさである。なお、ブラケット本体部２０には、上記のように側面開口部２２と底面開口部２４とが側面から底面に跨って設けられ組み付け作業用の開口が形成されている。また、ブラケット本体部２０の側面には、ボルトなどに対応する孔である孔部３４ｂやスタッドボルト部３７ｂ，３８ｂが設けられている。
【００１８】
副ブラケット部３０は、ブラケット１０を構成する部品であって、ブラケット本体部２０と分離可能である。また、副ブラケット部３０は、ブラケット本体部２０と一体化したときに側面開口部２２を覆う機能を有する。副ブラケット部３０は、平板部３２とスナップピン３４ａとを含んで構成される。平板部３２は、適当な強度を有する平板であり、側面開口部２２よりひとまわり大きい形状を有する。スナップピン３４ａは、ブラケット本体部２０に設けられる孔部３４ｂに差し込んで仮固定を行うピンである。つまり、スナップピン３４ａを孔部３４ｂに差し込むことで、ブラケット本体部２０と副ブラケット部３０とを一体化するときの仮固定に使用する。また、ブラケット本体部２０と副ブラケット部３０とを本固定する場合には、副ブラケット部３０に設けられるナット部３７ａ，３８ａとブラケット本体部２０に設けられるスタッドボルト部３７ｂ，３８ｂとを締結することにより固定する。
【００１９】
上記構成の作用について説明する。図５は、ブラケット１０を利用して電気回路ユニット４２を車両６に設ける手順を示すフローチャートである。まず、ブラケット本体部２０を車両６の前方にあるエンジンルーム７内において、ブラケット本体部２０の側面開口部２２が車両６内側（図１における右側）を向くように車幅方向外側の左側に取り付けられる（Ｓ１２）。なお、ブラケット本体部２０の側面開口部２２が車両６内側（図１における左側）を向くように車幅方向外側の右側に取り付けることもできる。
【００２０】
次に、電気回路ユニット４２が上方からブラケット本体部２０に載置されるが、この載置を行う際に、外部接続用ケーブル４４と電気回路ユニット４２の組付口４１とがブラケット本体部２０の側面開口部２２側から組み付け作業ができるような位置になるように、電気回路ユニット４２の方向を決めて載置が行われる（Ｓ１４）。
【００２１】
そして、外部接続用ケーブル４４がブラケット本体部２０の底面２６に設けられた底面開口部２４から挿入され、ブラケット本体部２０の側面２３に設けられた側面開口部２２を利用して外部接続用ケーブル４４と電気回路ユニット４２の組付口４１との組み付け作業を行う（Ｓ１６）。
【００２２】
次に、副ブラケット部３０に設けられたスナップピン３４ａをブラケット本体部２０に設けられた孔部３４ｂに差し込むことで、ブラケット本体部２０と副ブラケット部３０とを一体化するための仮固定を行う（Ｓ１８）。
【００２３】
そして、図示していないが、例えば、インバータ回路からの強電ケーブルを配置する等必要な工程を全て経た後に、副ブラケット部３０に設けられるナット部３７ａ，３８ａとブラケット本体部２０に設けられるスタッドボルト部３７ｂ，３８ｂとを締結することにより本固定する（Ｓ２０）。
【００２４】
このように電気回路ユニット４２をブラケット本体部２０に載置した後であっても、側面開口部２２から外部接続用ケーブル４４の組み付け作業を容易に行うことができる。また、ブラケット本体部２０と副ブラケット部３０とを一体化した後であっても、必要に応じてブラケット本体部２０と副ブラケット部３０とを再度分離することで、外部接続用ケーブル４４を電気回路ユニット４２に組み付けた後であっても、外部接続用ケーブル４４と電気回路ユニット４２の組付口４１との組み付けの分離、あるいは、その後の再組み付け作業についても容易に行うことができる。
【００２５】
また、外部接続用ケーブル４４の組み付け作業用に側面開口部２２を設けているが、副ブラケット部３０を一体化して側面開口部２２を覆い、さらに、ブラケット本体部２０と副ブラケット部３０とを本固定することで、車両６の側突時等に側面開口部２２が開いてしまうことを抑制することができる。
【００２６】
なお、副ブラケット部３０は、平板状であって、複雑な形状を有していないので、例えば、その内側にインバータの強電ケーブルが配置された状態で側突が生じたときでも、強電ケーブルは平板部３２に面当たりするだけで、破壊等を生じにくく、漏電等の危険を防ぐことができる。
【図面の簡単な説明】
【００２７】
【図１】本発明の実施の形態に係るブラケットに電気回路ユニットを載せた状態のブラケット部を車両に設けた様子を示す図である。
【図２】車両の内側からブラケット部を見た様子を示す図である。
【図３】ブラケットと電気回路ユニットと外部接続用ケーブルを分離した様子を示す図である。
【図４】ブラケット部の上面視を示す図である。
【図５】ブラケットを利用して電気回路ユニットを車両に設ける手順を示すフローチャートである。
【符号の説明】
【００２８】
６  車両、７  エンジンルーム、８  ブラケット部、１０  ブラケット、２０  ブラケット本体部、２２  側面開口部、２３  側面、２４  底面開口部、２６  底面、３０  副ブラケット部、３２  平板部、３４ａ  スナップピン、３４ｂ  孔部、３７ｂ，３８ｂ  スタッドボルト部、３７ａ，３８ａ  ナット部、４１  組付口、４２  電気回路ユニット、４４  外部接続用ケーブル。
【図１】
2009179133.tif 000003
【図２】
2009179133.tif 000004
【図３】
2009179133.tif 000005
【図４】
2009179133.tif 000006
【図５】
2009179133.tif 000007